(57)【要約】【課題】ループ記録を行う際、ループ記録の上書き消去から連続番組を自動的に保護することができる記録再生装置を提供する。【解決手段】記録再生装置は、所定の記録容量の範囲で放送番組の記録を行い記録された前期放送番組の情報の容量が前記所定の記録容量を超えると既に記録された番組の記録領域に記録時期の古い順番に上書き記録を行なうループ記録手段と、前記ループ記録手段によって記録された連続放送番組において、上書き記録をしない保護回数を設定する保護回数設定手段と、前記連続放送番組の中で前記記録領域に記録されている記録回数が前記保護回数を超える回数となるまで前記連続放送番組の記録領域に上書き記録しない保護手段とを有する。【選択図】図１
2012070177.tif 000002
【特許請求の範囲】
【請求項１】
所定の記録容量の範囲で放送番組の記録を行い記録された前期放送番組の情報の容量が前記所定の記録容量を超えると既に記録された番組の記録領域に記録時期の古い順番に上書き記録を行なうループ記録手段と、
前記ループ記録手段によって記録された連続放送番組において、上書き記録をしない保護回数を設定する保護回数設定手段と、
前記連続放送番組の中で前記記録領域に記録されている記録回数が前記保護回数を超える回数となるまで前記連続放送番組の記録領域に上書き記録しない保護手段と
を有する記録再生装置。
【請求項２】
前記保護回数設定手段が前記連続放送番組の第ｎ話の番組をｍ回保護するように設定するとき、
前記保護手段は、前記連続放送番組の第ｎ話から第（ｎ＋ｍ）話を順次記録し、該第（ｎ＋ｍ）話の記録情報が上書き消去されるまで、第ｎ話から第（ｎ＋ｍ−１）話までの記録情報が上書き消去されないように保護する請求項１記載の記録再生装置。
【請求項３】
前記連続放送番組の中の１個の番組を再生したとき、前記連続番組の中の他の番組が記録されている場合には、他の番組が記録されていることを通知する通知手段を有する請求項１記載の記録再生装置。
【請求項４】
前記通知手段は画面に録画番組通知ウィンドウを表示する請求項３記載の記録再生装置。
【請求項５】
前記通知手段は自動保護対象の連続番組の他の放送回が記録されていれば、番組表上にアイコンを表示する請求項３記載の記録再生装置。
【請求項６】
利用者が入力したキーワードと合致するキーワードを連続番組の番組情報から取得するキーワード取得手段を備え、
前記保護手段は、前記キーワードを前記番組情報に有する連続番組を保護する請求項１記載の記録再生装置。
【発明の詳細な説明】
【技術分野】
【０００１】
本発明の実施形態は、デジタル放送によって受信した番組を記録することが可能な記録再生装置に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送は、電子番組表（ＥＰＧ（Electronic Program Guide））の仕組みが備えられており、受信機のリモコンのボタンを押すだけで、当日あるいは１週間先までの番組表が表示され、放送時間や出演者など、番組内容の表示や知りたい情報の検索、番組の視聴予約や録画予約を簡単に行うことができる。
【０００３】
デジタル放送の録画には大量の記憶容量が必要とされ、シリーズ予約機能などによる自動録画機能などによって録画番組数が非常に多くなるため、ＨＤＤ（Hard Disk Drive）あるいはＳＳＤ（Solid State Drive）等の記録装置の記録残量が枯渇する事態が起こりえる。そのため、録画機能を有する記録再生装置は、ループ記録（録画）と呼ばれる記録方法を用いる場合がある。
【０００４】
ループ記録は、記録再生装置の記録装置に固定的な領域を確保し、その固定的な領域内で通常の記録とは独立して上書き記録を繰り返す記録方式である。ループ記録の領域は、記録装置内で通常の記録用の領域と別に設けられる場合や、記録装置の記録領域全体をループ記録の領域とする場合がある。ループ記録領域に記録が開始され、ループ記録領域の終点まで記録が進むと、ループ記録領域の始点に戻って続きの記録を続行する。よって、ループ記録で記録した記録データは記録時期が古い番組から順に上書き消去される。
【先行技術文献】
【特許文献】
【０００５】
【特許文献１】特開２００８−１６５８５９号公報
【発明の概要】
【発明が解決しようとする課題】
【０００６】
連続番組とは、５話、１０話などに分けて放送される放送番組である。連日放送されるものもあれば、週に１回放送されるものもあり、毎日あるいは毎週ほぼ定められた時間に放送される。所謂続き物と言われるような連続ドラマや連続アニメは２話目、３話目になって注目されることがあり、このような場合には３話目を見た後で１話目、２話目も見たい場合がる。
【０００７】
ループ記録で記録した記録データは記録時期が古い番組から順に上書き消去されるが、たとえ未再生の番組であっても時間の経過と共に上書き消去されてしまう。そのため、例えば、連続番組について利用者の指示に基づいて上書き消去から番組を保護することができる記録再生装置が望まれている。
【０００８】
本発明の目的は、上記したような事情に鑑み成されたものであって、ループ記録を行う際、ループ記録の上書き消去から連続番組を自動的に保護することができる記録再生装置を提供することである。
【課題を解決するための手段】
【０００９】
上記目的を達成するために、実施形態によれば、記録再生装置は、所定の記録容量の範囲で放送番組の記録を行い記録された前期放送番組の情報の容量が前記所定の記録容量を超えると既に記録された番組の記録領域に記録時期の古い順番に上書き記録を行なうループ記録手段と、前記ループ記録手段によって記録された連続放送番組において、上書き記録をしない保護回数を設定する保護回数設定手段と、前記連続放送番組の中で前記記録領域に記録されている記録回数が前記保護回数を超える回数となるまで前記連続放送番組の記録領域に上書き記録しない保護手段とを有する。
【図面の簡単な説明】
【００１０】
【図１】第１の実施形態に係る記録再生装置の構成を示すブロック図。
【図２】記録再生装置の概観を示した斜視図。
【図３】リモコンの実施形態を示した概観図。
【図４】連続番組保護管理部の機能要素を示すブロック図。
【図５】有効／非有効設定ウィンドウを示した図。
【図６】ループ記録における上書きと番組保護回数を説明する図。
【図７】画面に表示された保護回数設定ウィンドウを示した図。
【図８】画面に表示された未再生番組通知設定ウィンドウを示した図。
【図９】画面に表示された通知ウィンドウを示した図。
【図１０】画面に表示された再生リストウィンドウを示した図。
【図１１】画面に表示された通知ウィンドウの別の例を示した図。
【図１２】画面に表示された番組表を示した図。
【図１３】画面に表示された番組表の別の例を示した図。
【図１４】画面に表示された新番組開始設定ウィンドウを示した図。
【図１５】画面に表示されたジャンル設定ウィンドウを示した図。
【図１６】画面に表示された保護番組リストウィンドウを示した図。
【図１７】自動保護機能の番組の判定処理の動作手順を示したフローチャート。
【図１８】自動保護機能を有効化した後に番組情報を受信した場合の処理の動作手順を示したフローチャート。
【図１９】ループ記録された番組の上書き記録の判定処理の動作手順を示したフローチャート。
【図２０】第２の実施形態に係る記録再生装置の構成を示すブロック図。
【図２１】画面に表示されたキーワード入力ウィンドウを示した図。
【発明を実施するための形態】
【００１１】
以下実施形態について図面を参照しながら説明する。
【００１２】
（実施形態１）
図１は、第１の実施形態の記録再生装置１の構成を示したブロック図である。アンテナ２は、放送局２９から送信された放送電波を受信するための地上デジタル放送あるいは衛星デジタル放送用のアンテナである。
【００１３】
チューナ３は、地上デジタル放送あるいは衛星デジタル放送の放送信号の中から所望のチャンネルの放送信号を選局する。チューナ３は、複数のチューナユニットから構成されており、同時に複数の放送を受信することができる。
【００１４】
復調器４は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部５に出力される。また、復調器４は、送受信部２３を介してインターネット等のネットワーク３０から受信したＩＰ放送を復調する。
【００１５】
デコード処理部５は、ＭＰＥＧデコーダ、映像音声デコーダ等の機能を有する。デコード処理部５は、復調器４から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００１６】
また、デコード処理部５は、記録装置１８から入力された映像データ及び音声データをデコードする。更に、デコード処理部５は、外部記憶装置２０から入力された映像データ及び音声データをデコードする機能を有する。
【００１７】
重畳処理部６は、デコード処理部５からの映像データと、バス１２を介して転送されるデータ放送やＧＵＩ（Graphical User Interface）データ生成部２５によるウィンドウ描画をプレーン管理して、映像データとの重ね合わせを行い、映像処理部７に送る。
【００１８】
映像処理部７は、表示装置８で表示可能なフォーマット（画素数、フレーム周波数、走査方式）に変換したり、表示色を任意に調整したりして、表示装置８に出力して映像を画面９に表示させる。
【００１９】
音声処理部１０は、デコード処理部５から伝送されたデジタルの音声データを、スピーカ１１あるいはイヤーホーンで再生可能なアナログ音声信号に変換した後、スピーカ１１あるいはイヤーホーンに出力して音声を再生させる。なお、表示装置８やスピーカ１１は記録再生装置１の外部にあってもよい。また記録再生装置１と別の筐体に納められていてもよい。
【００２０】
記録再生装置１は、上記した受信動作を含むその全ての動作を制御部１３によって統括的に制御されている。制御部１３はＭＰＵ（Micro Processing Unit）１４が搭載されており、バス１２を介して接続された各構成要素を制御する。
【００２１】
ＲＡＭ（Random Access Memory）１５は、制御部１３のデータ処理に必要な各種データを格納するリード／ライトメモリであり、映像データ等を格納するバッファメモリとして動作する。ＲＯＭ（Read Only Memory）１６は読出し専用メモリであり、ＭＰＵ１４が実行する制御のプログラムなどを格納している。
【００２２】
フラッシュメモリ１７は、書き換え可能であり、電源を切ってもデータが消えない不揮発性の半導体メモリである。フラッシュメモリ１９は、録画番組情報、録画予約情報等を記憶する機能を有する。
【００２３】
記録装置１８は、ＨＤＤ（Hard Disk Drive）、ＳＳＤ（Solid State Drive）或いはＯＤＤ（Optical Disc Drive）等を含む記録手段である。記録装置１８には情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤ或いはＯＤＤに記録され、また再生される。再生データは、デコード処理部５でデコードされる。
【００２４】
外部インターフェース１９は、ＵＳＢ（Universal Serial Bus）、ＩＥＥＥ１３９４（Institute of Electrical and Electronic Engineers 1394）、あるいはｅＳＡＴＡ(external Serial ATA(AT Attachment)）、ＳＤ（Secure Digital）（登録商標）メモリカード、ＨＤＭＩ（High Definition Multimedia Interface）（登録商標）等のインターフェースであり、ＵＳＢメモリやＵＳＢ外部機器、ＳＤメモリカード、ＨＤＤ、ＳＳＤ、ＣＤ、ＤＶＤ、Blu-ray（登録商標）記録再生機等のドライブ類を含む外部記憶装置２０が接続される。
【００２５】
外部インターフェース１９を介して外部記憶装置２０に放送番組を記録することができる。記録装置１８または外部記憶装置２０のどちらに記録するかを利用者が選択できる。また、記録再生装置１は、外部記憶装置２０に記録された映像または音声情報を再生することができる。
【００２６】
操作受信部２１は、操作機器２２から送信される操作信号を受信し、制御部１３に転送する。操作機器２２は、例えば、赤外線あるいはBluetooth等による無線通信を利用したリモコン（リモートコントローラ、remote controller）、有線式あるいは無線式キーボード等であり、操作信号を送出する。操作受信部２１は、これらリモコン、キーボード等から操作信号を受信する。
【００２７】
記録再生装置１は、送受信部２３を介してインターネット等のネットワーク３０に接続されている。これにより、記録再生装置１は、ネットワーク３０上にあるサーバ３１等の機器と送受信部２３を介して情報伝送を行なうことができる。
【００２８】
図２は、記録再生装置１の概観を示した斜視図である。記録再生装置１は、筐体４０と、筐体４０を支持するスタンド４１を備えている。筐体４０は前面側に液晶パネルやＰＤＰパネル等の表示パネル４２が配置され、表示パネル４２の背面側に表示パネル４２を支持する図示しないフレームが配置されている。フレームには表示パネル４２を駆動するための図示しない回路基板や電源回路が設置されている。
【００２９】
筐体４０の前面側と上面、底面、両側側面の一部を覆う前面カバー４３と、筐体４０の背面側と上面、底面、両側側面の一部を覆う背面カバー４４とによって外面が囲まれている。画面９は、表示パネル４２の前面カバー４３の窓部４３ａの内側の表示部分である。
【００３０】
図３は、リモコン５０の実施形態を示した概観図である。リモコン５０は赤外線あるいはBluetooth等による無線通信を利用して、記録再生装置１の操作受信部２１へ操作信号を送る。電源ボタン５１は、記録再生装置１の電源をオンまたはオフする。詳細には記録再生装置１を待機状態から動作状態、または動作状態から待機状態にするボタンである。
【００３１】
選局ボタン５２は、チャンネル番号を直接選択する１から１２までの番号が振られたボタンである。また、選曲ボタン５２は、文字を入力するときにも用いられる。記録再生装置１が文字入力のモードに設定された状態で文字入力が可能となる。携帯電話と同様な入力操作で文字を入力する。チャネル送りボタン５３は、チャネル番号を順送りまたは逆送りで選局するボタンであり、選局ボタン５２と同様にチャネルを選局するときに用いられる。音量調整ボタン５４は、番組を視聴するときの音量を調整するボタンである。
【００３２】
カーソルボタン５５は表示装置８の画面９に表示されたＧＵＩ画面の各種の情報ウィンドウ内のカーソルの移動や各種項目の選択ボタンの移動を行うためのボタンである。左方向カーソルボタン５５ａはカーソルを左方向に移動させるときに用いるボタンである。右方向カーソルボタン５５ｂ、上方向カーソルボタン５５ｃ、下方向カーソルボタン５５ｄはそれぞれカーソルを右方向、上方向、下方向に移動させるときに用いる。決定ボタン５６は、カーソルボタン５５ａ〜５５ｄで移動した先の位置または画面上のボタンを実行するときに用いられる。
【００３３】
番組表ボタン５７は、番組表を画面９に表示するときに操作する専用の操作ボタンである。メニューボタン５８は、記録再生装置１に用意された各種の設定項目を表示するときに押下するボタンである。利用者は、階層表示された複数の項目の中から目的の設定項目を選択する。
【００３４】
終了ボタン５９は、一連の操作を終了するときに操作するボタンである。録画番組ボタン６０は録画番組のリストを表示するためのボタンである。録画番組のリストの表示形式は複数あり、利用者が選択できる。４色の色ボタン６１は、左から青ボタン６１ａ、赤ボタン６１ｂ、緑ボタン６１ｃ、黄ボタン６１ｄの順に配置されている。画面９上に色により区別された項目や色による選択の表示があるときに使用する。記録装置操作ボタン６２は、記録装置１８に記録された番組を再生する際に、再生、停止、一時停止、早送り再生、早戻し再生、次番組スキップ、先頭戻り・前番組スキップするためのボタンである。
【００３５】
図１において、制御部１３は、ＳＩ管理部２４、録画管理部２５、連続番組保護管理部２６、ＧＵＩ制御部２７の機能を有する。これらの機能は、制御部１３のＭＰＵ１４が実行するアプリケーションであり、通常はＲＯＭ１６に格納されており、使用時にはＭＰＵ１４によって読み出され実行される。
【００３６】
ＳＩ管理部２４は、各番組のＳＩ（Service Information）情報を取得し、管理する。ＳＩ情報はこれを元にしてＥＰＧデータによる番組表が作成されたり、録画予約あるいは記録（録画）された番組の管理に利用される。
【００３７】
記録再生装置１は、複数のチューナ３を搭載しており、複数の番組について同時に録画指定を行うことが可能である。利用者は、画面９上の電子番組表（ＥＰＧ（Electronic Program Guide））を見ながら、番組を選択して録画または録画予約することができる。
【００３８】
ＥＰＧは多チャンネル化が進む中で利用者が容易に番組を選択することを目的に提供されている。新聞などにおけるテレビ番組欄の表示様態を真似て記録再生装置１の画面９上に表示される。利用者は、画面９の番組表を見ながらリモコン５０を使って番組選択や詳細情報の表示、録画予約に利用する。
【００３９】
ＥＰＧデータによる番組表の表示様態は放送受信機メーカや記録再生装置の機種によって異なっているが、記録再生装置１においては、上述した新聞などにおけるテレビ番組欄のように横方向にチャンネル軸、縦方向に時間軸として表示し現在時刻以降に放送される番組が並ぶように表示される。番組を選択するとその番組の番組名、放送日時以外に、番組のジャンル、出演者や番組内容等の詳細情報が表示される。
【００４０】
ＥＰＧデータは映像・音声などと同様にパケット化され、多重されて送信されている。番組情報のデータは、ＳＩ(Service Information、番組配列情報)のＥＩＴ(Event Information Table)に含まれており、デコード処理部５から出力された情報をＳＩ管理部２４が解析してプログラムに従って番組表を生成し、ＧＵＩ制御部２７が番組表のＧＵＩ画面を生成する。生成された番組表は、重畳処理部６、映像処理部７を経て画面９に表示される。
【００４１】
録画管理部２５は、利用者の要求に基づいて設定された予約情報を管理する。利用者は画面９上のＥＰＧデータによる番組表を見ながら、リモコンを使って番組を選択して録画または録画予約することができる。また、キーワード予約やシリーズ予約などによる自動録画予約をすることができるが、録画管理部２５はそれらの予約情報を管理する。また、録画管理部２５は、予約された番組の記録処理、また視聴中の番組の記録処理を行う。
【００４２】
録画管理部２５は、記録装置１８あるいは外部記憶装置２０に記録された番組を管理する。録画管理部２５は、記録された番組の番組情報（放送局名、放送日時、番組名、放送概要、出演者、番組詳細等）、記録時間、録画番組が再生済みか未再生かの区別等を、フラッシュメモリ１７、または記録装置１８に記録し、録画番組の情報を管理する。録画管理部２５は、録画番組リストの生成、録画番組の再生や削除、編集等の処理を実行する。
【００４３】
録画管理部２５は、ループ記録による記録を管理する。ループ記録は、記録装置１８あるいは外部記憶装置２０の所定の記録容量の範囲で放送番組の記録を行い、記録された前期放送番組の情報の容量が所定の記録容量を超えると既に記録された番組の記録領域に記録時期の古い順番に上書き記録を行なう記録方式である。ループ記録における番組保護については、連続番組保護管理部２６から情報を受けて連続番組の保護を行う。
【００４４】
記録再生装置１は、番組のジャンル、キーワードなどの条件を指定して録画予約できる。利用者が予め指定した１個または複数の録画用キーワードに合致した番組情報を含む番組を自動的に記録する機能を備えている。制御部１３は、利用者が予め指定した１個または複数の録画用キーワードをフラッシュメモリ１７に記憶させ、録画管理部２５は、この録画用キーワードを番組情報に含む番組を抽出し記録できる設定を有する。
【００４５】
ＧＵＩ制御部２７は、ＧＵＩ（Graphical User Interface）データを生成し、この生成されたＧＵＩデータはバス１２を介して重畳処理部６へ送信される。重畳処理部６に送付されたＧＵＩデータは、例えばテレビ番組の映像データに重畳処理されたり、或いはＧＵＩ単独画面として処理され、映像処理部７へ伝送され画面９に表示される。
【００４６】
図４は、連続番組保護管理部２６の機能要素を示すブロック図である。連続番組保護管理部２６は、ループ記録における連続番組の保護に関する情報を管理する。連続番組保護管理部２６は、保護設定管理部２６ａ、保護設定情報２６ｂ、録画予定保護対象番組管理部２６ｃ、録画予定保護対象番組リスト２６ｄ、録画済保護対象番組管理部２６ｅ、録画済保護対象番組リスト２６ｆ、保護対象シリーズ管理部２６ｇ、保護対象シリーズリスト２６ｈの各機能から構成される。この内保護設定情報２６ｂ、録画済保護対象番組リスト２６ｄ、録画予定保護対象番組リスト２６ｆ、保護対象シリーズリスト２６ｈは、フラッシュメモリ１７に記憶されるデータであるが、ここでは連続番組保護管理部２６の機能要素として説明する。
【００４７】
ループ記録における連続番組の保護とは、ループ記録によって記録された連続放送番組において、ループ記録の上書き記録による消去をしない保護回数が利用者によって設定され、前記連続放送番組の中で前記記録領域に記録されている記録回数が設定された保護回数を超える回数となるまで連続放送番組の記録領域に上書き録画しない保護方式である。ループ記録を行う際、ループ記録の上書き消去から連続ドラマを自動的に保護する手段である。ループ記録手段によって記録された連続放送番組において、上書き記録をしない保護回数を設定する保護回数設定手段と、連続番組の記録回数が保護回数を超えるまで連続放送番組の記録領域に上書き記録しない保護手段を備える。この連続番組の録画回数が保護回数を超えるまで連続放送番組の記録領域に上書き記録しないという保護機能は、ループ記録に限らずループ記録領域以外のＰＶＲ記録領域に対しても応用することができる。
【００４８】
保護設定管理部２６ａは、自動保護機能の有効または非有効の設定、保護回数の設定、連続番組における未再生番組の通知設定、自動保護機能を有効とする番組のジャンルの設定等の機能を有する。保護設定情報２６ｂは、保護設定管理部２６ａによってフラッシュメモリ１７に記憶されるデータである。
【００４９】
録画予定保護対象番組管理部２６ｃは、ＳＩ管理部が管理している番組情報を参照し各番組が自動保護機能の対象番組であるかを判定する。自動保護機能の対象番組であった場合には録画予定保護対象番組リスト２６ｄに記憶させる。
【００５０】
録画済保護対象番組管理部２６ｅは、録画管理部２５が管理している録画された番組の番組情報を参照し録画番組が自動保護機能の対象番組であるかを判定する。自動保護機能の対象番組であった場合には録画済保護対象番組リスト２６ｆに記憶させる。
【００５１】
保護対象シリーズ管理部２６ｇは、録画された番組を削除する前にこの録画番組が保護対象か否かを判定する際、この録画番組が新番組であるときに保護対象シリーズ２６ｈに記憶させる。
【００５２】
保護設定管理部２６ａは、自動保護機能の有効または非有効の設定を管理する。利用者の指示に基づいて、ループ記録において連続ドラマや連続アニメのような連続番組に対して自動保護機能を有効とするか否かを設定する。図５は、自動保護機能の有効または非有効を設定する有効／非有効設定ウィンドウ７０を示した図である。有効／非有効設定ウィンドウ７０は、保護設定管理部２６ａが、ＧＵＩ制御部２７を介して画面に表示させる。有効／非有効設定ウィンドウ７０内には連続番組の自動保護機能を「連ドラ自動保護」と表記している。
【００５３】
画面９に有効／非有効設定ウィンドウ７０を表示させるには、利用者がリモコン５０のメニューボタン５８を押下し、自動保護機能の設定の中から、有効／非有効設定を選択し決定ボタンを押下することにより表示させることができる。利用者はリモコン５０のカーソルボタン５５を操作して「使う」ボタン７１ａ、「使わない」ボタン７１ｂを選択し、決定ボタン５６を押下することにより有効または非有効を設定できる。
【００５４】
保護設定管理部２６ａは、利用者の指示に基づいて、ループ記録における連続番組の上書き記録による削除の保護回数を設定する。ここで保護回数について説明する。連続番組のｎ回目の番組（第ｎ話の番組）がｍ回保護されるとは、第ｎ話、第（ｎ＋１）話、第（ｎ＋２）話・・・の番組が録画され、第（ｎ＋ｍ）話の番組が録画されるまで、第ｎ話から第（ｎ＋ｍ−１）話の番組が上書きされないということである。つまり、この保護機能は連続放送番組の記録回数が保護回数を超える回数となるまで連続放送番組の記録領域に上書き記録しないというものである。更に、第（ｎ＋ｍ）話の番組が上書き消去されるまで第ｎ和から第（ｎ＋ｍ−１）話の番組が上書きされないようにしてもよい。第（ｎ＋ｍ）話の番組が記録された時点で連続番組の（ｍ＋１）話が記録されている。
【００５５】
連続ドラマや連続アニメは、新番組が始まった最初の回（第１話）の放送ではあまり注目されなかったが、第２話、第３話になって注目される番組があり、利用者が第３話を見た後で第１話、第２話も見たい場合がる。また、利用者が連続番組を途中の回から見始めた場合、その１回前や２回前の放送回を見たい場合がある。このようなときに、利用者が（ｎ＋ｍ）回目の番組を再生したときに、（ｎ＋ｍ−１）回目、（ｎ＋ｍ−２）回目の番組を見ることができれば、利用者にとって都合がよい。
【００５６】
図６は、ループ記録における上書きと番組保護回数を説明する図である。図６は、ｎ＝１、ｍ＝２の例である。連続ドラマＡの１回目（第１話）から記録して、第３回目（第３話）が記録されるまで、１回目と２回目が保護される例を示している。
【００５７】
図６（ａ）はループ記録の記録領域全体７２を表す。ループ記録は、概念的には図６（ａ）の左端から記録して右端まで記録すると左端に戻って上書きし、それを繰り返して記録するというものである。実際には時間的に古い番組から順に上書きされるため、図６において記録領域の横軸は時間を表し、左端が古く右端が新しい時間を表しているものとする。図６（ｂ）は記録領域に他の番組の記録が開始されて記録済み領域が時間経過と共に増大していく状態を示している。
【００５８】
図６（ｃ）は、番組のドラマＡ１回目７３（第１話）が記録され終わった直後の状態を示す。図６（ｄ）は、記録領域が最後まで記録された状態を示す。図６（ｅ）は、記録領域の最初の部分、詳細には、記録時期が最も古い番組が記録された記録領域から上書きされていく状態を示している。
【００５９】
図６（ｆ）は、ドラマＡ１回目７３が上書きされずに保護され、ドラマＡ１回目７３を除いた領域が上書きされた状態を示している。図６（ｇ）は、ドラマＡ２回目７４が記録され記録領域が最後まで上書きされた状態を示す。
【００６０】
図６（ｈ）は、記録領域の最初の部分、詳細には、記録時期が最も古い番組（但し、保護されている番組Ａ１回目７３を除く）が記録された記録領域から更に上書きされていく状態を示している。
【００６１】
図６（ｉ）は、ドラマＡ１回目７３とドラマＡ２回目７４が上書きされずに保護され、ドラマＡ３回目７５が記録され記録領域が最後まで上書きされた状態を示す。この時点で記録領域にはドラマＡの１回目７３、２回目７４、３回目７５が記録されている。このようにすることによって、少なくとも３回目７５が記録されるまで１回目７３、２回目７４がループ記録の上書き消去から保護され、連続番組を保護することができる。
【００６２】
保護が解除されるのは、例えば、記録されたドラマＡの１回目７３、２回目７４、３回目７５のうち３回目７５が、上書き削除されるときである。それまで、１回目７３、２回目７４は上書きされず保護され、３回目７５が上書きされるときに、同時に上書き削除可能となる。このようにするのは、連続番組が第１話から第３話目まで録画され、第３話目が削除される場合には第１話、第２話とも録画を残しておく必要性が少ないからである。また、保護が解除される別の方法としては、同時に上書き削除可能とせず、保護する最大回数分の記録データは保持しつつ、最も古いものから順に1回ずつ上書き削除されるなどとしても良い。
【００６３】
図７は、自動保護機能の保護回数を設定する保護回数設定ウィンドウ７６を示した図である。保護回数設定ウィンドウ７６は、保護設定管理部２６ａが、ＧＵＩ制御部２７を介して画面に表示させる。利用者は、リモコン５０のカーソルボタン５５を操作して、カウントアップボタン７７ａ、カウントダウンボタン７７ｂを選択して決定ボタンを押下することにより保護回数表示７８に表示された保護回数を変更することができる。
【００６４】
保護設定管理部２６ａは、自動保護された連続番組の１個の番組を再生したとき、この連続番組の他の放送回の録画番組が未再生である場合に、未再生番組があることを通知する機能を有し、利用者の指示に基づいて、表示／非表示を設定する。通知機能として通知ウィンドウ８３の表示による通知と番組表９２におけるアイコン表示による通知がある。
【００６５】
図８は、未再生番組通知設定ウィンドウ７９を示した図である。再生時通知ボタン８０は、連続番組の中の１個の番組を再生したとき、再生画面上に通知ウィンドウ８２を表示させるための設定ボタンである。番組表通知ボタン８１は、画面９に番組表９２を表示させたときに、自動保護対象の連続番組の他の放送回が録画されていれば、番組表上にアイコンを表示させるための設定ボタンである。再生時通知ボタン８０、番組表通知ボタン８１共にこの機能が有効とされているときには、ボタン左側にあるインジケータ８２ａ、８２ｂに丸印が点灯する。未再生番組通知設定ウィンドウ７９は、保護設定管理部２６ａが、ＧＵＩ制御部２７を介して画面に表示させる。
【００６６】
図９は、画面に表示された通知ウィンドウ８３を示した図である。通知ウィンドウ８３の内部には、他の放送回が記録されていることを通知する文言と、再生リスト表示ボタン８４、保護解除ボタン８５、前話ボタン８６、次話ボタン８７が設けられている。再生リストボタン８４は、再生リストウィンドウ８８を表示する操作ボタンである。保護解除ボタン８５は再生中の番組を含む連続番組の保護設定を解除するための操作ボタンである。前話ボタン８６は、再生中の連続番組の前の回の番組を再生するための操作ボタンである。次話ボタン８７は、再生中の連続番組の次の回の番組を再生するための操作ボタンである。前話ボタン８６は、前の回の番組が記録されていない場合にはグレーアウト表示される。グレーアウト表示はウィンドウのボタンや選択部分がグレーになって選択できない状態をいう。また、次話ボタン８７は、次の回の番組が記録されていない場合にはグレーアウト表示される。
【００６７】
図１０は、画面に表示された再生リストウィンドウ８８を示した図である。再生リストウィンドウ８８には連続番組の記録された放送回が一覧表示される。図１０においては、再生リストウィンドウ８８の内部には、ドラマＡの１回目（第１話）の再生ボタン８９ａ、ドラマＡの２回目（第２話）の再生ボタン８９ｂ、ドラマＡの３回目（第３話）の再生ボタン８９ｃが表示されている。再生中であるドラマＡの３回目の再生ボタンはハイライト（図１０では斜線で表示）されている。保護解除ボタン９０は再生中の番組を含む連続番組の保護設定を解除するための操作ボタンである。
【００６８】
図１１は、画面に表示された通知ウィンドウの別の例を示した図である。通知ウィンドウ９１は、図９で示した通知ウィンドウ８３に対して、他の放送回が録画されていることを通知する文言と保護されている連続番組が削除される条件を通知する文言を表示して、利用者により一層強く視聴を促している。通知ウィンドウ９１の内部に表示されている操作ボタン８４、８５、８６、８７は図９で示した操作ボタンと同一であるので説明を省略する。
【００６９】
図１２は、画面９に表示された番組表９２を示した図である。番組表９２は、ＳＩ管理部２４がＳＩ情報を解析してプログラムに従って番組表を生成し、ＧＵＩ制御部２７が番組表のＧＵＩ画面を生成し、重畳処理部６、映像処理部７を経て画面９に表示される。ＳＩ管理部２４は、連続番組保護管理部２６から録画予定保護対象番組リスト２６ｄ、録画済保護対象番組リスト２６ｆのデータを受け、番組表を生成するとき、自動保護対象の連続番組の他の放送回が記録されていれば、番組表上にアイコンを表示する。アイコンを表示することによって、利用者に連続番組の視聴を促す。
【００７０】
図１２において、番組表９２は、１チャンネルから５チャンネルについて５月１３日木曜日の１８時から２２時３０分の番組を表示している例を示している。リモコン５０のカーソルボタン５５ａ、５５ｂを操作することにより、画面９に表示されていない他のチャンネルを右スクロールまたは左スクロールすることにより閲覧することができる。また、リモコンのカーソルボタン５５ｃ、５５ｄを操作することにより、画面９に表示されていない他の時間帯を上スクロールまたは下スクロールすることにより閲覧することができる。
【００７１】
３チャンネルの２１時からドラマＡの３回目が放送されることが示されている。ドラマＡが、自動保護対象の連続番組であり、他の放送回が記録されていれば、番組表上にアイコンを表示させる。図１２においては、［保］のアイコンが番組名の前に表示されている。図８で示した未再生番組通知設定ウィンドウ７９で番組表通知ボタン８１が有効と設定されていれば［保］のマークが表示され、非有効と設定されていれば表示されない。
【００７２】
図１３は、画面９に表示された番組表の別の例を示した図である。自動保護対象の連続番組で他の放送回が記録されていれば、番組表９３上にアイコンを表示させるとともにリモコン５０のカーソルボタン５５でこの対象となる番組を選択したとき、吹き出し表示９４等を用いて、保護している他の放送回があることを示す。吹き出し表示９４を表示することによって利用者に連続番組の視聴をより一層強く促す。
【００７３】
保護設定管理部２６ａは、自動保護機能を有効とする際、連続番組の新番組を記録したときに有効にするか、または新番組ではなく連続番組の途中の回（例えば、２話目、３話目）から記録を開始したときでも有効にするのか設定する。新番組であることの情報は番組情報に含まれているため、ＳＩ管理部２４または録画管理部２５からのデータにより判断される。
【００７４】
連続番組の新番組を記録したときに有効にするとは、既に放送回の１回目（第１話）が放送されてしまった連続番組については１回目が録画できないので自動保護機能を有効とせず、これから放送回の１回目（第１話）が放送される新連続番組について自動保護機能を有効とするものである。新番組の録画有無に拘わらず有効にするとは、新番組ではなく連続番組の途中の回（例えば、２話目、３話目）から記録を開始したときでも有効にするものである。
【００７５】
図１４は、画面９に表示された新番組開始設定ウィンドウ９５を示した図である。新番組開始設定ウィンドウ９５の内部には、新番組を記録したときに有効にする新番組有効ボタン９６と新番組に限らず連即番組の途中から記録した場合でも有効とする非新番組有効ボタン９７の２個のボタンがある。図１４においては、新番組有効ボタン９６は「新番組を記録した場合に限り有効にする」と表示され、非新番組有効ボタン９７は「新番組の録画有無に拘わらず有効にする」と表示されている。
【００７６】
保護設定管理部２６ａは、自動保護機能を有効とする連続番組の保護対象のジャンルを設定する。利用者の指示に基づいて、ループ記録において連続ドラマや連続アニメのような連続番組だけでなく、例えば、ニュース／報道、スポーツ、情報／ワイドショー、音楽等のジャンルの連続番組に対して自動保護機能を有効とするか否かを設定する。設定された保護対象ジャンルは、保護設定情報２６ｂに記憶される。
【００７７】
図１５は、画面９に表示されたジャンル設定ウィンドウ９８を示した図である。ジャンル設定ウィンドウ９８を表示するには、利用者がリモコン５０のメニューボタン５８を押下し、自動保護機能の設定の中から、番組ジャンル設定を選択し決定ボタンを押下することにより表示させることができる。
【００７８】
図１５において、ジャンル設定用のニュース／報道ボタン９９ａ、スポーツボタン９９ｂ、情報／ワイドショーボタン９９ｃ、ドラマ９９ｄ、音楽９９ｅ、アニメ９９ｆのボタンが備えられており、選択されたジャンルのボタンはハイライト（図１５ではドラマボタン９９ｄとアニメボタン９９ｆが斜線で表示）される。利用者はリモコンのカーソルボタン５５ｃ、５５ｄを使って選択し、決定ボタン５６で自動保護機能を有効とすることができる。
【００７９】
保護設定管理部２６ａは、自動保護機能が有効とされている連続番組のリストを表示させ、リストの中の連続番組を削除することができる。図１６は、画面９に表示された保護番組リストウィンドウ１００を示した図である。保護番組リストウィンドウ１００の内部には自動保護機能が有効とされている連続番組が表示されている。図１６においては表示されている連続番組は５個（１０１ａ〜１０１ｅ）であるが、スクロールすることによって他の連続番組を表示することができる。また表示される連続番組の個数は５個に限るものではない。連続番組を削除するには、リモコン５０のカーソルボタン５５ｃ、５５ｄで番組名を選択し、リモコン５０の赤ボタン６１ｂを押下することにより削除できる。
【００８０】
図１７は、自動保護機能の番組の判定処理の動作手順を示したフローチャートである。Ｓ１１において、連続番組保護管理部２６の保護設定管理部２６ａは、自動保護機能を有効に設定する。Ｓ１２において、連続番組保護管理部２６が、番組の判定処理を開始する。
【００８１】
Ｓ１３において、ＳＩ管理部２４が対象とする番組の番組情報を既に取得しているかを判定する。取得していれば、Ｓ１４へ移る。取得していなければＳ１５へ移る。Ｓ１４において、録画予定保護対象番組管理部２６ｃが、既に保存された番組情報を保護予定対象かそうでないか判定し、保護対象の連続番組であれば、録画予定保護対象番組リスト２６ｄへ加える。
【００８２】
Ｓ１５において、録画管理部２５が対象とする録画番組を既に保存しているかを判定する。保存していれば、Ｓ１６へ移る。保存していなければ終了する。Ｓ１６において、録画済保護対象番組管理部２６ｅが、既に録画された録画番組を保護対象かそうでないかを判定し、保護対象の連続番組であれば、録画済保護対象番組リスト２６ｆへ加えて終了する。
【００８３】
図１８は、自動保護機能を有効化した後に番組情報を受信した場合の処理の動作手順を示したフローチャートである。Ｓ２１において、ＳＩ管理部２４が番組情報を取得する。Ｓ２２において、保護対象シリーズ管理部２６ｇが、受信した番組情報について保護対象シリーズかそうでないかを判定し、保護対象シリーズであれば、保護対象シリーズリストに加え、されに録画予定保護対象番組リストへ加える。
【００８４】
図１９は、ループ記録された番組の上書き削除の判定処理の動作手順を示したフローチャートである。記録された番組Ｅが、ループ記録された番組の中で最も古い番組となり上書き削除の判定対象の録画番組となったときの判定処理のフローである。
【００８５】
Ｓ３１において記録された番組Ｅの開始時刻が削除開始時刻となる。Ｓ３２において、保護設定管理部２６ａが設定を読み出す。Ｓ３３において、保護設定管理部２６ａは自動保護機能が有効であるかを判定する、有効であればＳ３４へ移り、有効でなければ終了する。
【００８６】
Ｓ３４において、保護設定管理部２６ａが番組Ｅのジャンルが保護対象ジャンルであるかを判定する。番組Ｅのジャンルが保護対象のジャンルであれば、Ｓ３５へ移る。保護対象のジャンルでなければ、終了する。Ｓ３５において、保護設定管理部２６ａが新番組であるか否かに拘わらず保護する設定になっているか判定し、保護する設定になっていれば、Ｓ３６へ移り、保護する設定になっていなければ、Ｓ３８へ移る。
【００８７】
Ｓ３６において、番組Ｅの連続番組を保護した回数が設定された保護回数を超えているかを判定する。保護回数を超えていないならば、Ｓ３７へ移る。保護回数を超えていたならば、終了する。Ｓ３７において、録画済保護対象番組管理部２６ｅは、番組Ｅを録画済保護対象番組リストへ加える。
【００８８】
Ｓ３８において、番組Ｅが新番組であるか否かを判定する。番組Ｅが新番組であるときはＳ３９へ移り、新番組でなければ、終了する。Ｓ３９において、保護対象シリーズ管理部２６ｇは、番組Ｅの連続番組を保護対象シリーズリスト２６ｈへ加えて、Ｓ３７へ移る。Ｓ３７において、録画済保護対象番組管理部２６ｅは、番組Ｅを録画済保護対象番組リストへ加える。
【００８９】
以上のように、ループ記録によって記録された連続放送番組において、ループ記録の上書き録画による消去をしない保護回数が利用者によって設定され、連続放送番組の中で記録領域に記録されている記録回数が指定された保護回数を超えていない場合には連続放送番組の記録領域に上書き記録しないように保護することによって、ループ記録の上書き消去から連続ドラマを自動的に保護することができる。保護対象の番組は利用者が個別に設定することなく、自動で保護される。
【００９０】
（第２の実施形態）
図２０は、第２の実施形態に係る記録再生装置１０２の構成を示すブロック図である。この第２の実施形態の各部について、図１に示す第１の実施形態の各部と同一部分は同一符号である。この第２の実施形態が第１の実施形態と異なる点は、記録再生装置１０２の制御部１０３は、ＳＩ管理部２４、録画管理部２５、連続番組保護管理部２６、ＧＵＩ制御部２７の他にキーワード取得部１０４の機能を有することである。
【００９１】
キーワード取得部１０４は、自動保護する連続番組をキーワードによって選択するために、ＳＩ管理部２４および録画管理部２５が管理する番組の番組情報の中から利用者が入力したキーワードと同じ内容のキーワードを検索して取得する機能を有する。利用者が連続番組の番組名や出演者のキーワードを入力し、キーワードを含む連続番組について連続番組に保護機能を適用することができる。
【００９２】
利用者がリモコン５０のメニューボタン５８を押下し、自動保護機能の設定の中から、番組ジャンル設定を選択しさらにその中からキーワード設定を選択し決定ボタンを押下することによりキーワードを入力することが可能となる。
【００９３】
図２１は、画面９に表示されたキーワード入力ウィンドウ１０５を示した図である。利用者はリモコン５０の選曲ボタン５２を使用してキーワード入力ウィンドウ１０５の文字入力ウィンドウ１０６内に文字を入力する。
【００９４】
利用者がリモコン５０を使用して検索キーワードを入力すると、操作受信部２１はリモコン５０から検索キーワードのデータを受信してこのデータを制御部１３に送信する。制御部１３は、一旦ＲＡＭ１５に記憶させてから、フラッシュメモリ１７に記憶させる。
【００９５】
キーワード取得部１０４は、ＳＩ管理部２４および録画管理部２５が管理する番組の番組情報の中から検索キーワードと同じ内容のキーワードを取得する。番組情報のデータは、放送局名、放送日時、番組名、放送概要、出演者、番組詳細等の個々の番組に関する情報が含まれており、キーワード取得部１０４は、番組情報のデータを分析してキーワードを抽出し取得する。
【００９６】
キーワード取得部１０４は、番組情報の内部に利用者が入力した検索キーワードに合致したキーワードを取得すると、キーワードを有した番組の番組情報を録画予定対象であれば保護設定管理部２６ａ、録画予定保護対象番組管理部２６ｃへ送信し、録画済み番組であれば保護設定管理部２６ａ、録画済保護対象番組管理部２６ｅへ送信する。
【００９７】
録画予定保護対象番組管理部２６ｃは、キーワード取得部１０４から送信された番組を保護対象番組として録画予定保護対象番組リスト２６ｄに記憶させる。また、録画済保護対象番組管理部２６ｅは、キーワード取得部１０４から送信された番組を保護対象番組として録画済保護対象番組リスト２６ｆに記憶させる。
【００９８】
このようにすることによって、利用者が入力したキーワードと合致する番組情報を持つ連続番組についてループ記録の上書き消去から連続ドラマを自動的に保護することができる。
【００９９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【０１００】
１  記録再生装置１
２  アンテナ
３  チューナ
４  復調器
５  デコード処理部
６  重畳処理部
７  映像処理部
８  表示装置
９  画面
１０  音声処理部
１１  スピーカ
１２  バス
１３  制御部
１４  ＭＰＵ
１５  ＲＡＭ
１６  ＲＯＭ
１７  フラッシュメモリ
１８  記録装置
１９  外部インターフェース
２０  外部記憶装置
２１  操作受信部
２２  操作機器
２３  送受信部
２４  ＳＩ管理部
２５  録画管理部
２６  連続番組保護管理部
２６ａ  保護設定管理部
２６ｂ  保護設定情報
２６ｃ  録画予定保護対象番組管理部
２６ｄ  録画予定保護対象番組リスト
２６ｅ  録画済保護対象番組管理部
２６ｆ  録画済保護対象番組リスト
２７  ＧＵＩ制御部
２９  放送局
３０  ネットワーク
３１  サーバ
４０  筐体
４１  スタンド
４１  表示パネル
５０  リモコン
５２  選局ボタン
５５ａ、５５ｂ、５５ｃ、５５ｄ  カーソルボタン
５６  決定ボタン
５８  メニューボタン
７０  有効／非有効設定ウィンドウ
７６  保護回数設定ウィンドウ
７９  未再生番組通知設定ウィンドウ
８３  通知ウィンドウ
８８  再生リストウィンドウ
９１  通知ウィンドウ
９２  番組表
９３  番組表
９４  吹き出し表示
９５  新番組開始設定ウィンドウ
９８  ジャンル設定ウィンドウ
１００  保護番組リストウィンドウ
１０２  記録再生装置
１０３  制御部
１０４  キーワード取得部
１０５  キーワード入力ウィンドウ
【図１】
2012070177.tif 000003
【図２】
2012070177.tif 000004
【図３】
2012070177.tif 000005
【図４】
2012070177.tif 000006
【図５】
2012070177.tif 000007
【図６】
2012070177.tif 000008
【図７】
2012070177.tif 000009
【図８】
2012070177.tif 000010
【図９】
2012070177.tif 000011
【図１０】
2012070177.tif 000012
【図１１】
2012070177.tif 000013
【図１２】
2012070177.tif 000014
【図１３】
2012070177.tif 000015
【図１４】
2012070177.tif 000016
【図１５】
2012070177.tif 000017
【図１６】
2012070177.tif 000018
【図１７】
2012070177.tif 000019
【図１８】
2012070177.tif 000020
【図１９】
2012070177.tif 000021
【図２０】
2012070177.tif 000022
【図２１】
2012070177.tif 000023